(57)【特許請求の範囲】
【請求項１】
ダウンリンクパイロットの送信方法であって、
符号分割多重ＣＤＭ方式、またはＣＤＭと周波数分割多重ＦＤＭとの混合方式で専用パイロットを伝送するステップを含み、
前記専用パイロットを伝送するリソースにおいて、設定された周波数領域粒度と規則に基づき、前記専用パイロットに直交シーケンス集合を配置し、各周波数領域粒度内の専用パイロットに同様な直交シーケンス集合が配置され、
前記周波数領域粒度は、サブキャリア、または、サブキャリアグループであり、
前記周波数領域粒度がサブキャリアである場合、各物理リソースブロックにおける専用パイロットを伝送するサブキャリアにおいて、サブキャリア毎に１つの直交シーケンス集合が配置され、隣接サブキャリアに異なる直交シーケンス集合が配置され、
前記周波数領域粒度がサブキャリアグループである場合、各物理リソースブロックで専用パイロットを伝送するサブキャリアグループにおいて、各サブキャリアグループ内に同様な直交シーケンス集合が配置され、隣接サブキャリアグループに異なる直交シーケンス集合が配置され、
前記設定された規則に基づき、前記専用パイロットに直交シーケンス集合を配置することは、
システム帯域幅のスタート・サブキャリアに配置された直交シーケンス集合とサブキャリアシリアル番号に基づき、前記専用パイロットに直交シーケンス集合を配置するステップ、または
システム帯域幅のスタート・サブキャリアグループに配置された直交シーケンス集合とサブキャリアグループシリアル番号に基づき、前記専用パイロットに直交シーケンス集合を配置するステップを含むことを特徴とするダウンリンクパイロットの送信方法。
【請求項２】
１つ以上のポートグループを有し、且つポートグループ毎に１つ以上のサブキャリアが対応している場合、各ポートグループは、同一サブキャリアにおいてＣＤＭ方式で専用パイロットを伝送し、異なるポートグループに設定される周波数領域粒度と規則は同じかまたは違う、ことを特徴とする請求項１記載のダウンリンクパイロットの送信方法。
【請求項３】
異なるポートグループに対応する周波数領域粒度がサブキャリアである場合、同一ポートグループにおける専用パイロットを伝送する隣接サブキャリアに異なる直交シーケンス集合が配置され、かつ、異なるポートグループのスタート・サブキャリアに異なる直交シーケンス集合が配置される、ことを特徴とする請求項２記載のダウンリンクパイロットの送信方法。
【請求項４】
システムで伝送されるストリーム数が３または４である場合、伝送される第１と第３のデータレイヤに同様な直交シーケンスが配置され、第４のデータレイヤにおける直交シーケンスは第２のデータレイヤの直交シーケンスの反数である、ことを特徴とする請求項３記載のダウンリンクパイロットの送信方法。
【請求項５】
同一ポートグループに２つの直交シーケンス集合を配置し、かつ、交代で専用パイロットを伝送するサブキャリアにマッピングする、ことを特徴とする請求項３記載のダウンリンクパイロットの送信方法。
【請求項６】
システムにおける伝送されるストリーム数に基づき、設定される周波数領域粒度と規則が同様であるかまたは異なる、ことを特徴とする請求項２記載のダウンリンクパイロットの送信方法。
【請求項７】
符号分割多重ＣＤＭ方式、または符号分割多重ＣＤＭと周波数分割多重ＦＤＭとの混合方式で専用パイロットを伝送し、
端末がチャネルを推定するための、配置された直交シーケンス集合を含む専用パイロットを当該端末に送信するステップ、をさらに含むことを特徴とする請求項１記載のダウンリンクパイロットの送信方法。
【請求項８】
専用パイロットを伝送するリソースにおいて、設定された周波数領域粒度と規則に基づき、前記専用パイロットに直交シーケンス集合を配置し、各周波数領域粒度内の専用パイロットに同様な直交シーケンス集合を配置する配置手段と、
符号分割多重ＣＤＭ方式、またはＣＤＭと周波数分割多重ＦＤＭとの混合方式で専用パイロットを伝送する第１送信手段と、を備え、
前記周波数領域の粒度がサブキャリアまたはサブキャリアグループであり、
前記配置手段は、前記周波数領域粒度がサブキャリアである場合、各リソースブロックで専用パイロットを伝送するサブキャリアにおいて、サブキャリア毎に１つの直交シーケンス集合を配置し、隣接サブキャリアに異なる直交シーケンス集合を配置し、
前記配置手段は、前記周波数領域粒度がサブキャリアグループである場合、各リソースブロックで専用パイロットを伝送するサブキャリアグループにおいて、各サブキャリアグループ内に同様な直交シーケンス集合を配置し、隣接サブキャリアグループに異なる直交シーケンス集合を配置し、
前記配置手段は、システム帯域幅のスタート・サブキャリアに配置される直交シーケンス集合とサブキャリアシリアル番号に基づき、前記専用パイロットに直交シーケンス集合を配置し、または、システム帯域幅のスタート・サブキャリアグループに配置される直交シーケンス集合とサブキャリアグループシリアル番号に基づき、前記専用パイロットに直交シーケンス集合を配置することを特徴とするダウンリンクパイロットの送信装置。
【請求項９】
端末がチャネルを推定するための、配置された直交シーケンス集合を含む専用パイロットを当該端末に送信する第２送信手段、をさらに有することを特徴とする請求項８記載のダウンリンクパイロットの送信装置。
【請求項１０】
１つ以上のポートグループを含み、且つポートグループ毎に１つ以上のサブキャリアが対応している場合、各ポートグループは同一サブキャリアにおいてＣＤＭ方式で専用パイロットを伝送し、異なるポートグループに設定された周波数領域粒度は同様であるかまたは異なる、ことを特徴とする請求項８記載のダウンリンクパイロットの送信装置。
【請求項１１】
異なるポートグループに対応する周波数領域粒度がサブキャリアである場合、前記配置手段は、同一ポートグループで専用パイロットを伝送する隣接サブキャリアに異なる直交シーケンス集合を配置し、かつ、異なるポートグループのスタート・サブキャリアに異なる直交シーケンス集合を配置する、ことを特徴とする請求項１０記載のダウンリンクパイロットの送信装置。
【請求項１２】
システムで伝送されるストリーム数が３または４である場合、前記配置手段は、伝送される第１と第３のデータレイヤに同様な直交シーケンスを配置し、第２のデータレイヤの直交シーケンスの反数となる直交シーケンスを第４のデータレイヤに配置する、ことを特徴とする請求項１１記載のダウンリンクパイロットの送信装置。
【請求項１３】
同一ポートグループに２つの直交シーケンス集合を配置し、かつ、交代で専用パイロットを伝送するサブキャリアにマッピングする、ことを特徴とする請求項１１記載のダウンリンクパイロットの送信装置。
【請求項１４】
前記配置手段は、システムで伝送されるストリーム数に基づき、同じまたは異なる周波数領域粒度と規則を採用する、ことを特徴とする請求項８記載のダウンリンクパイロットの送信装置。
【請求項１５】
取得されたスタート物理リソースブロックの直交シーケンス配置情報、周波数領域粒度情報及び規則に基づき、専用パイロットを受信し、又、各周波数領域粒度内の専用パイロットに同様な直交シーケンス集合が配置され、
前記周波数領域粒度は、サブキャリア、または、サブキャリアグループであり、
前記周波数領域粒度がサブキャリアである場合、各物理リソースブロックにおける専用パイロットを伝送するサブキャリアにおいて、サブキャリア毎に１つの直交シーケンス集合が配置され、隣接サブキャリアに異なる直交シーケンス集合が配置され、
前記周波数領域粒度がサブキャリアグループである場合、各物理リソースブロックで専用パイロットを伝送するサブキャリアグループにおいて、各サブキャリアグループ内に同様な直交シーケンス集合が配置され、隣接サブキャリアグループに異なる直交シーケンス集合が配置され、
設定された規則に基づき、前記専用パイロットに直交シーケンス集合を配置することは、
システム帯域幅のスタート・サブキャリアに配置された直交シーケンス集合とサブキャリアシリアル番号に基づき、前記専用パイロットに直交シーケンス集合を配置するステップ、または
システム帯域幅のスタート・サブキャリアグループに配置された直交シーケンス集合とサブキャリアグループシリアル番号に基づき、前記専用パイロットに直交シーケンス集合を配置するステップを含むことを特徴とするダウンリンクパイロットの受信方法。
【請求項１６】
スタート物理リソースブロックの直交シーケンス配置情報、周波数領域粒度情報と規則に基づき、または直交シーケンス集合の配置情報を取得する取得手段と、
取得されたスタート物理リソースブロックの直交シーケンス配置情報、周波数領域粒度情報と規則、または直交シーケンス集合の配置情報に基づき専用パイロットを受信し、かつ、各周波数領域粒度内の専用パイロットに同様な直交シーケンス集合が配置される受信手段と、を備え、
前記周波数領域粒度は、サブキャリア、または、サブキャリアグループであり、
前記周波数領域粒度がサブキャリアである場合、各物理リソースブロックにおける専用パイロットを伝送するサブキャリアにおいて、サブキャリア毎に１つの直交シーケンス集合が配置され、隣接サブキャリアに異なる直交シーケンス集合が配置され、
前記周波数領域粒度がサブキャリアグループである場合、各物理リソースブロックで専用パイロットを伝送するサブキャリアグループにおいて、各サブキャリアグループ内に同様な直交シーケンス集合が配置され、隣接サブキャリアグループに異なる直交シーケンス集合が配置され、
設定された規則に基づき、前記専用パイロットに直交シーケンス集合を配置することは、
システム帯域幅のスタート・サブキャリアに配置された直交シーケンス集合とサブキャリアシリアル番号に基づき、前記専用パイロットに直交シーケンス集合を配置するステップ、または
システム帯域幅のスタート・サブキャリアグループに配置された直交シーケンス集合とサブキャリアグループシリアル番号に基づき、前記専用パイロットに直交シーケンス集合を配置するステップを含むことを特徴とするダウンリンクパイロットの受信装置。
【請求項１７】
請求項８に記載のダウンリンクパイロットの送信装置と、
請求項１６に記載のダウンリンクパイロットの受信装置と、
を備えることを特徴とするダウンリンクパイロットの伝送システム。
【発明の詳細な説明】
【技術分野】
【０００１】
本出願は２００９年１１月２日に、中国特許局に提出した、出願番号が２００９１０２３７０４８.３、発明の名称が「ダウンリンクパイロットの伝送方法、装置及びシステム」である中国特許出願願書の優先権を主張し、又、２００９年１２月３１日に、中国特許局に提出した、出願番号が２００９１０２２７７９９.７、発明の名称が「ダウンリンクパイロットの伝送方法、装置及びシステム」である中国特許出願願書の優先権を主張し、その開示の総てを本申請に取り込む。
本発明は通信技術領域に関し、特にダウンリンクパイロットの伝送方法、装置及びシステムに関する。
【背景技術】
【０００２】
３ＧＰＰ長期進化ＬＴＥ−Ａｄｖａｎｃｅｄ （ＬＴＥはＬｏｎｇ  Ｔｅｒｍ  Ｅｖｏｌｕｔｉｏｎの略記であり、第三世代移動通信システムの進化バージョンのシステムであり、ＬＴＥ−ＡｄｖａｎｃｅｄシステムはＬＴＥシステムの後継規格である）システムでは、高次多入力多出力（ＭＩＭＯ）技術とマルチセル協調伝送技術等の新しい技術を用いてシステム性能を向上する。
【発明の概要】
【発明が解決しようとする課題】
【０００３】
新技術をより良く対応するため、ＬＴＥ―Ａシステムは専用パイロットでデータを復調する。専用パイロットはデータストリームに対応し、各データストリームのパイロットの間は直交性を維持する。１ストリームと２ストリームの場合のデータストリーム伝送案において、２つのデータストリームの各パイロット間の直交性は符号分割多重（ＣＤＭ）方式で確保し、３ストリームと４ストリームの場合のデータストリーム伝送案において、４ストリームの各パイロット間の直交性は、周波数分割多重（ＦＤＭ）とＣＤＭの混合方式で維持し、５、６、７、８ストリームの場合のデータストリーム伝送案において、８ストリームの各パイロット間の直交性は、ＦＤＭとＣＤＭの混合方式でパイロット維持する。これから分かるように、全ての伝送案ではパイロットの直交性を維持するためにＣＤＭ直交方式を採用した。ＣＤＭ方式のパイロットがｗａｌｓｈ符号または帰一化ｗａｌｓｈ符号を採用する際、異なる直交周波数分割多重（ＯＦＤＭ）符号の総合パイロット電力が同一ではないため、異なるＯＦＤＭ符号上の電力不一致をもたらすことになった。
【課題を解決するための手段】
【０００４】
本発明に係るダウンリンクパイロットの伝送方法、装置及びシステムは従来技術における異なるＯＦＤＭ符号の電力不一致の問題を解決する。
【０００５】
本発明の実施形態に係るダウンリンクパイロットの送信方法は、
符号分割多重ＣＤＭ方式、またはＣＤＭと周波数分割多重ＦＤＭとの混合方式で専用パイロットを伝送するステップを含み、
ここで、専用パイロットを伝送するリソースにおいて、設定された周波数領域粒度と規則により前記専用パイロットに直交シーケンス集合を配置し、各周波数領域粒度内の専用パイロットに同様な直交シーケンス集合が配置される。
【０００６】
本発明の実施形態に係るダウンリンクパイロットの送信装置は、
専用パイロットを伝送するリソースにおいて、設定された周波数領域粒度と規則に基づき前記専用パイロットに直交シーケンス集合を配置し、同じ周波数領域粒度内の専用パイロットに同様な直交シーケンス集合が配置される配置手段と、
符号分割多重ＣＤＭ方式、またはＣＤＭと周波数分割多重ＦＤＭとの混合方式でパイロットを伝送する第１送信手段と
を備える。
【０００７】
本発明の実施形態に係るダウンリンクパイロットの受信方法は、
取得されたスタートＰＲＢ直交シーケンス配置情報、周波数領域粒度情報及び規則に基づいて専用パイロットを受信し、かつ、各周波数領域粒度内の専用パイロットに同様な直交シーケンス集合が配置される。
【０００８】
本発明の実施形態に係るダウンリンクデータの受信装置は、
スタートＰＲＢの直交シーケンス配置情報、周波数領域粒度情報と規則、または直交シーケンス集合の配置情報を取得する取得手段と、
取得されたスタートＰＲＢの直交シーケンス配置情報、周波数領域粒度情報と規則、または直交シーケンス集合の配置情報により専用パイロットを受信し、かつ、各周波数領域粒度内の専用パイロットに同様な直交シーケンス集合が配置される受信手段と
を備える。
【０００９】
本発明の実施形態に係るダウンリンクデータの伝送システムは、
符号分割多重ＣＤＭ方式、またはＣＤＭと周波数分割多重ＦＤＭとの混合方式でパイロットを伝送する基地局と；
ここで、専用パイロットを伝送するリソースにおいて、設定された周波数領域粒度と規則に基づいて前記専用パイロットに直交シーケンス集合を配置し、各周波数領域粒度内の専用パイロットに同様な直交シーケンス集合が配置され、
取得されたスタートＰＲＢの直交シーケンス配置情報、周波数領域粒度情報と規則、または直交シーケンス集合の配置情報に基づき専用パイロットを受信し、かつ、各周波数領域粒度内の専用パイロットに同様な直交シーケンス集合が配置される端末と
を備える。
【００１０】
本発明の実施形態においては、設定された周波数領域粒度に基づき、符号分割多重ＣＤＭ方式、またはＣＤＭと周波数分割多重ＦＤＭとの混合方式で専用パイロットを伝送する。ここで、専用パイロットを伝送するリソースにおいて、設定された周波数領域粒度と規則に基づいて前記専用パイロットに直交シーケンス集合を配置し、各周波数領域粒度内の専用パイロットに同様な直交シーケンス集合が配置されし、ｗａｌｓｈ符号によるＯＦＤＭ符号の電力不一致の問題を解決する。
【図面の簡単な説明】
【００１１】
【図１】本発明の実施形態に係る送信方法のフローチャートである。
【図２】本発明の実施形態に係る受信方法のフローチャートである。
【図３ａ】ｒａｎｋ１-ｒａｎｋ２の場合のパイロット構造のイメージを示す図である。
【図３ｂ】２ストリーム（Ｒａｎｋ＝２）の場合のリソースブロック（ＰＲＢ）の反転に基づくイメージ図である。
【図４ａ】ｒａｎｋ３―ｒａｎｋ４の場合のパイロット構造とｒａｎｋ５−ｒａｎｋ８の場合のパイロット構造のイメージを示す図である。
【図４ｂ】ｒａｎｋ３―ｒａｎｋ４の場合のサブキャリアに基づくシーケンス選択案のイメージを示す図である。
【図４ｃ】ｒａｎｋ３―ｒａｎｋ４の場合のサブキャリアグループに基づくシーケンス選択案のイメージを示す図である。
【図４ｄ】ｒａｎｋ３-ｒａｎｋ４の場合のＰＲＢに基づくシーケンス選択案のイメージを示す図である。
【図４ｅ】ｒａｎｋ３-ｒａｎｋ４の場合、第１、第２レイヤ（ｌａｙｅｒ）と第３、第４レイヤが異なるシーケンスマッピング規則を採用するイメージを示す図である。
【図５ａ】サブキャリアに基づくｒａｎｋ５−ｒａｎｋ８の場合の、長さが４である直交シーケンス選択案のイメージを示す図である。
【図５ｂ】サブキャリアグループに基づくＰＲＢ  ｒａｎｋ５−ｒａｎｋ８の場合の、長さが４である直交シーケンス選択案のイメージを示す図である。
【図５ｃ】ＰＲＢに基づくｒａｎｋ５−ｒａｎｋ８の場合の、長さが４である直交シーケンス選択案のイメージを示す図である。
【図６ａ】ｒａｎｋ５−ｒａｎｋ８の場合のサブキャリアに基づく長さが４である直交シーケンス選択案のイメージを示す図である。
【図６ｂ】サブキャリアグループに基づくｒａｎｋ５−ｒａｎｋ８の場合の、長が４である直交シーケンス選択案のイメージを示す図である。
【図６ｃ】ＰＲＢに基づくｒａｎｋ５−ｒａｎｋ８の場合の、長が４である直交シーケンス選択案のイメージを示す図である。
【図７ａ】ＰＲＢ内のみのシーケンス選択（または反転）を示す図である。
【図７ｂ】ユーザーにスケジューリングしたリソースブロック内のシーケンス選択（または反転）を示す図である。
【図７ｃ】システム帯域幅上のシーケンス選択（または反転）を示す図である。
【図８】本発明の実施形態に係る送信装置の構造のイメージを示す図である。
【図９】本発明の実施形態の受信装置の構造のイメージを示す図である。
【発明を実施するための形態】
【００１２】
ｗａｌｓｈ符号による、異なるＯＦＤＭ符号の電力不一致の問題を解決するため、本発明の実施形態は符号分割多重ＣＤＭ方式、またはＣＤＭと周波数分割多重ＦＤＭとの混合方式で専用パイロットを伝送する。ここで、専用パイロットを伝送するリソースにおいて、設定された周波数領域粒度と規則に基づいて前記専用パイロットに直交シーケンス集合を配置し、各周波数領域粒度内の専用パイロットに同様な直交シーケンス集合が配置される。
【００１３】
図１に示すように、本発明の実施形態に係るダウンリンクパイロットの送信方法は、ステップ１０１と、ステップ１０２とを含む
ステップ１０１において、符号分割多重ＣＤＭ方式、またはＣＤＭと周波数分割多重ＦＤＭとの混合方式で専用パイロットをマッピングする。ここで、専用パイロットを伝送するリソースにおいて、設定された周波数領域粒度と規則に基づいて前記専用パイロットに直交シーケンス集合を配置し、各周波数領域粒度内の専用パイロットに同様な直交シーケンス集合が配置される。
【００１４】
ステップ１０２において、マッピングされた後の専用パイロットを送信する。
【００１５】
前記周波数領域粒度はサブキャリア、サブキャリアグループまたは物理リソースブロック（Ｐｈｙｓｉｃａｌ  Ｒｅｓｏｕｒｃｅ  Ｂｌｏｃｋ，ＰＲＢ）である。
【００１６】
前記周波数領域粒度がサブキャリアである場合、各リソースブロックにおける専用パイロットを伝送するサブキャリアにおいて、サブキャリア毎に１つの直交シーケンス集合が配置され、隣接サブキャリアに異なる直交シーケンス集合が配置される。
【００１７】
前記周波数領域粒度がサブキャリアグループである場合、各リソースブロックにおける専用パイロットを伝送するサブキャリアグループにおいて、各サブキャリアグループに同様な直交シーケンス集合が配置され、隣接サブキャリアグループに異なる直交シーケンス集合が配置される。
【００１８】
前記周波数領域粒度がリソースブロックＰＲＢである場合、各リソースブロックにおける専用パイロットを伝送するリソースに同様な直交シーケンス集合が配置される。
【００１９】
設定された規則により、前記専用パイロットに対して直交シーケンス集合を配置するステップは具体的に、
システム帯域幅のスタート物理リソースブロック（Ｐｈｙｓｉｃａｌ  ｒｅｃｏｕｒｃｅ  ｂｌｏｃｋ，ＰＲＢ）に配置された直交シーケンス集合に基づき、前記専用パイロットに直交シーケンス集合を配置し、または、ユーザーにスケジューリングしたのスタートＰＲＢに配置された直交シーケンス集合とリソースブロックのスケジューリングシリアル番号に基づき、前記専用パイロットに直交シーケンス集合を配置するステップと、
端末がチャネルを推定するための、配置された直交シーケンス集合を含む専用パイロットを、当該端末に送信するステップと、
を含む。
【００２０】
１つ以上のポートグループを含み、且つポートグループ毎に１つ以上のサブキャリアが対応している場合、各ポートグループが同一サブキャリアにおいてＣＤＭ方式で専用パイロットを伝送し、異なるポートグループに設定される周波数領域粒度および／または規則は同じでもよいし、違うでもよい。システムにおいて伝送される異なるＲａｎｋ数に基づき、設定される周波数領域粒度と規則は同じでもよいし、違うでもよい。異なるポートグループに対応する周波数領域粒度がサブキャリアである場合、同一ポートグループにおける専用パイロットを伝送する隣接サブキャリアは異なる直交シーケンス集合を利用するが、異なるポートグループのスタート・サブキャリアに利用される直交シーケンス集合が同じではない。例えば、システムで伝送されるｒａｎｋ数が３または４である場合、第１と第３のデータレイヤには同様な直交シーケンスが配置され、第４のデータレイヤに配置される直交シーケンスは第２のデータレイヤの直交シーケンスの反数である。
【００２１】
ステップ１０２において、端末がチャネルを推定するための、配置された直交シーケンス集合を含む専用パイロットを、当該端末に送信する。一実施形態において、ブロードキャストメッセージまたはＤＣＩ（Ｄｏｗｎｌｉｎｋ  Ｃｏｎｔｒｏｌ  いｎｆｏｒｍａｔｉｏｎ，ダウンリンク制御情報）メッセージにより配置された直交シーケンス集合を端末に送信できる。無論、直交シーケンス集合を送信しなく、予め端末側に保存しておく方式を採用してもよい。
【００２２】
図２に示したように、本発明の実施形態に係るダウンリンクパイロットの受信方法は以下のステップ２０１と、ステップ２０２とを含む。
【００２３】
ステップ２０１：スタートＰＲＢの直交シーケンス配置情報、周波数領域粒度情報と規則、または直交シーケンス集合の配置情報を取得する。
【００２４】
スタートＰＲＢリソース配置情報、周波数領域粒度情報と規則は、端末側に予め配置されてもよいし、端末側がネットワーク側より配置された配置情報を受信して定期的に更新されるものであってもよい。
【００２５】
前記専用パイロットにおける直交シーケンス集合は、基地局より送信される、直交シーケンスを含むブロードキャスト情報またはＤＣＩメッセージを受信することで取得してもよいし、または、前記専用パイロットにおける直交シーケンス集合は予め端末側に保存されてもよい。さらに、前記専用パイロットにおける直交シーケンス集合は端末側に予め保存された規則に基づいて生成されても良い。
【００２６】
ステップ２０２：取得されたスタートＰＲＢリソース配置情報、周波数領域粒度情報と規則、及び取得された直交シーケンス集合に基づいて専用パイロットを受信し、かつ、同じ周波数領域粒度内の専用パイロットに同様な直交シーケンス集合が配置される。
【００２７】
図１に示す送信方法に応じて、ここの前記周波数領域粒度は、また、サブキャリア、サブキャリアグループ、または物理リソースブロックＰＲＢであってもよい。具体的に粒度はシステムにより予め設定されてもよいし、リソース状況により調整されてもよい。
【００２８】
前記周波数領域粒度がサブキャリアである場合、各リソースブロックにおける専用パイロットを伝送するサブキャリアにおいて、サブキャリア毎に１つの直交シーケンス集合が配置され、隣接サブキャリアに異なる直交シーケンス集合が配置される。
【００２９】
前記周波数領域粒度がサブキャリアグループである場合、各リソースブロックにおける専用パイロットを伝送するサブキャリアグループにおいて、各サブキャリアグループ毎に同様な直交シーケンス集合が配置され、隣接サブキャリアグループに異なる直交シーケンス集合が配置される。
【００３０】
前記周波数領域粒度がリソースブロックＰＲＢである場合、各リソースブロックにおける専用パイロットを伝送するリソースに同様な直交シーケンス集合が配置される。
【００３１】
本発明の実施形態において、Ｒａｎｋ１―ｒａｎｋ２の場合、サブキャリアに基づく技術案とサブキャリアグループに基づく技術案が同様である。
【００３２】
図３aはＬＴＥ−Ａダウンリンク専用パイロット構造のイメージを示す図である。第５と第６、及び第１２と第１３のＯＦＤＭ符号の第２、第７と第１２のサブキャリアを介して専用パイロットを伝送する。ここで、各ＯＦＤＭ符号のサブキャリアはＣＤＭ方式により、第０と第１の専用パイロットポートの専用パイロット符号を伝送する。図３ａは例として本実施形態を説明することにすぎないが、本発明の送信方式を限定するものではない。
【００３３】
図３ｂはＲａｎｋ２の場合のＰＲＢに基づく反転のイメージを示す図である。図３ｂの案において、横軸は時間を表示し、縦軸は周波数を表示する。図３ｂに示したフレーム構造は２つのＰＲＢを含み、斜線領域は専用パイロットを伝送する領域を表示し、直交シーケンスの反転（選択）はＰＲＢに基づいて行える。即ち、周波数領域における隣接ＰＲＢの直交シーケンスが異なり、同一ＰＲＢにおける直交シーケンスが同じである。図３ｂに示したように、左向きの矢印はＰＲＢ２において専用パイロットを送信する領域でシーケンス [１ １；１ -１]（ここのシーケンスは例にすぎず、これに限定されるものではない。以降の記述も同じである）を採用することを表示し、右向きの矢印はＰＲＢ１におけるシーケンス[１ １ ；-１ １]を採用することを表示する。
【００３４】
以下の公式で直交シーケンスのインデックスを計算できる。
【００３５】
【数１】
0005584305.tif 000002
以下、Ｒａｎｋ３―ｒａｎｋ４の場合のパイロット構造を例として本発明の技術案を説明する。
【００３６】
図４ａに示すように、ｒａｎｋ３―ｒａｎｋ４の場合のパイロット構造はｒａｎｋ１-ｒａｎｋ２をベースにし、周波数分割多重化（ＦＤＭ）方式により増加したポート数をサポートするものである。図４ａに示すように、２３は第７、８のポートに対応し、０１は第９、１０のポートに対応し、周波数分割多重化（ＦＤＭ）方式により区別する。第７と８、および、９と１０のポート間はＣＤＭ方式により区別する。即ち、第５、６、１２と１３のＯＦＤＭ符号において、第１、２、６、７、及び第１１と１２のサブキャリアを介して専用パイロットを伝送し、ここで、第１、６と１１のサブキャリアはＣＤＭ方式で第７と８の専用パイロットポートの専用パイロット符号を伝送し、第２、７と１２のサブキャリアはＣＤＭ方式で第９と１０の専用パイロットポートの専用パイロット符号を伝送する。
【００３７】
ｒａｎｋ３―ｒａｎｋ４の場合の専用パイロット構造の特徴により、直交シーケンスグループの反転（選択）は、即ち、サブキャリアに基づく方式、サブキャリアグループに基づく方式、及びＰＲＢに基づく方式３種の基本方式がある。ここで、上述の各方式はそれぞれさらに、全ポートに対して統一した周波数粒度と規則で直交シーケンスを配置する方法、及び異なるポートまたは異なるポートグループに対して異なる周波数粒度と規則で直交シーケンスを配置する方法、との２種の実現方法がある。以下、直交シーケンスグループの反転方法を説明する
〈反転方法１〉サブキャリアに基づく直交シーケンスの配置方式
当該方法の特徴は、隣接サブキャリアの直交シーケンスグループが異なることである。
【００３８】
図４ｂはｒａｎｋ３−ｒａｎｋ４の場合の、サブキャリアに基づくシーケンス選択案のイメージを示す図である。図４ｂに示すように、左向き矢印の領域は直交シーケンスＣｏｄｅ  ｉｎｄｅｘ０: [１ １] [１-１]を採用し、右向き矢印の領域は直交シーケンスＣｏｄｅ  ｉｎｄｅｘ１: [１ １] [- １ １]を採用する。直交シーケンスのインデックスは下記いずれかの公式でを計算できる。
【００３９】
【数２】
0005584305.tif 000003
〈反転方法２〉サブキャリアグループに基づく直交シーケンス配置方式
当該方法の特徴は、ＰＲＢにおける隣接サブキャリアをグループ化しておき、１ＰＲＢにおいて３グループにし、グループ毎に２つのサブキャリアを対応させることである。シーケンス反転（選択）はサブキャリアに基づいて行われ、即ち、１グループにおけるサブキャリアに同様な直交シーケンス集合を配置し、隣接グループに異なる直交シーケンス集合を配置する。図４ｃはｒａｎｋ３―ｒａｎｋ４の場合の、サブキャリアグループに基づくシーケンス選択案のイメージを示す図である。図４ｃに示すように、左向き矢印の領域は専用パイロットを伝送するに直交シーケンスＣｏｄｅ  ｉｎｄｅｘ０: [１ １] [１-１]を採用し、右向き矢印の領域は直交シーケンスＣｏｄｅ  ｉｎｄｅｘ１: [１ １] [- １ １]を採用する。直交シーケンスのインデックスは以下のいずれかの公式で計算できる。
【００４０】
【数３】
0005584305.tif 000004
〈反転方法３〉ＰＲＢに基づく直交シーケンス配置方式。
【００４１】
当該方法の特徴は、隣接するＰＲＢに対して異なる直交シーケンスグループを採用することである。図４ｄはｒａｎｋ３-ｒａｎｋ４の場合の、ＰＲＢに基づく直交シーケンス選択案のイメージを示している。図４ｄに示すように、当該案では２つのＰＲＢを有し、、左向き矢印はＰＲＢ２内で専用パイロットを伝送するに直交シーケンスＣｏｄｅ  ｉｎｄｅｘ０: [１ １] [１-１] を採用し、右向き矢印はＰＲＢ１内で専用パイロットを伝送するに直交シーケンスＣｏｄｅ  ｉｎｄｅｘ１: [１ １] [- １ １]を採用する。直交シーケンスのインデックスは以下の公式で計算できる。
【００４２】
【数４】
0005584305.tif 000005
〈反転方法４〉第１、第２のストリームは第３、第４のストリームと異なる規則を採用する直交シーケンス配置方式。
【００４３】
当該方法の特徴は、第１、第２のストリームと第３、第４のストリームに、同様な周波数領域粒度がマッピングされ、異なるポートグループのスタート・サブキャリアが異なる直交シーケンス集合に対応する。この場合、スタート・サブキャリアは１ポートグループに対応する複数のサブキャリアのうちの、最も周波数の小さいサブキャリアである。図４e はｒａｎｋ３-ｒａｎｋ４の場合の、第１、第２のストリームが第３、第４のストリームと異なるシーケンスマッピング規則を採用するイメージを示している。図４eに示したように、そのうち、左向き矢印の領域では直交シーケンス Ｃｏｄｅ  ｉｎｄｅｘ０: [１ １] [１-１]を採用し、右向き矢印の領域では直交シーケンスＣｏｄｅ  ｉｎｄｅｘ１: [１ １] [- １ １]を採用する。
【００４４】
以下ｒａｎｋ５−ｒａｎｋ８の場合のパイロット構造を例として本発明の技術案を説明する。
【００４５】
ｒａｎｋ５−ｒａｎｋ８において、直交シーケンス長が２の場合は、ｒａｎｋ３-ｒａｎｋ４の場合と同じような配置案を採用するが、ただ、各シーケンスが異なるポートに対応する。
【００４６】
直交シーケンス長が４の場合、直交シーケンスの選択案は使用するシーケンスグループに基づき２つのシーケンスから１つを選択する（シーケンスの反転だけである）案と、４つのシーケンスから１つを選択する案と２種に分けられる。
【００４７】
〈第１種〉
２つのシーケンスから１つを選択する案はさらに、サブキャリアに基づく方式、サブキャリアグループに基づく方式、及びＰＲＢに基づく方式との３種の方式がある。
【００４８】
図５aはサブキャリアに基づくｒａｎｋ５−ｒａｎｋ８の場合の、長さが４である直交シーケンスの選択案である。
【００４９】
図５aに示すように、サブキャリアに基づく方式において、左向き矢印の領域では専用パイロットを送信するに直交シーケンス Ｃｏｄｅ  ｉｎｄｅｘ０: [１ １ １ １] [１ １ -１ -１][１ -１ -１ １][１ -１ １ -１] を採用し、右向き矢印の領域では専用パイロットを送信するに直交シーケンスＣｏｄｅ  ｉｎｄｅｘ１: [１ １ １ １] [-１ -１ １ １][１ -１ -１ １][-１ １ -１ １] を採用する。
【００５０】
直交シーケンスのインデックスは以下いずれかの公式で計算できる。
【００５１】
【数５】
0005584305.tif 000006
（２）図５ｂはサブキャリアグループＰＲＢに基づく、ｒａｎｋ５−ｒａｎｋ８の場合の、長さが４の直交シーケンスの選択案であり、左向き矢印の領域では専用パイロットを送信するに直交シーケンスＣｏｄｅ  ｉｎｄｅｘ０: [１ １ １ １] [１ １ -１ -１][１ -１ -１ １][１ -１ １ -１] を採用し、右向き矢印の領域では専用パイロットを送信するに直交シーケンスＣｏｄｅ  ｉｎｄｅｘ１: [１ １ １ １] [-１ -１ １ １][１ -１ -１ １][-１ １ -１ １]を採用する。
【００５２】
直交シーケンスのインデックスは以下のいずれかの公式で計算できる。
【００５３】
【数６】
0005584305.tif 000007
（３）図５ｃに示すように、ＰＲＢに基づく、ｒａｎｋ５−ｒａｎｋ８の場合の、長さが４である直交シーケンスの選択案において、左向き矢印の領域では専用パイロットを送信するに直交シーケンスＣｏｄｅ  ｉｎｄｅｘ０: [１ １] [１-１]を採用し、右向き矢印の領域では専用パイロットを送信するに直交シーケンスＣｏｄｅ  ｉｎｄｅｘ１: [１ １] [- １ １] を採用する。
【００５４】
直交シーケンスのインデックスは以下の公式で計算できる。
【００５５】
【数７】
0005584305.tif 000008
〈第２種〉４つのシーケンスから１つを選択するシーケンス選択案はさらに、サブキャリアに基づく方式、サブキャリアグループに基づく方式、及びＰＲＢに基づく方式３種の方式がある。
【００５６】
（１）サブキャリアに基づく方式。
【００５７】
５、６、７と８ストリームに対応する伝送案ではＦＤＭとＣＤＭの混合方式でパイロットの直交性を確保する。図４ａに示すように、４ストリーム毎のパイロットが１ポートグループに対応し、同様なリソースにマッピングされている。１ポートグループにおけるパイロットは符号分割方式でグループ内のパイロットポート間の直交性を確保する。異なるポートグループに対して異なるリソースを割り当て、異なるグループのパイロットポート間の直交性を保証し、即ち、ＦＤＭ方式を採用する。図４ａに示すように、第０１と第２３のリソース要素はそれぞれ２つのパイロットポートグループを示す。又、パイロットに実際に配置されるポート数はデータのストリーム数（ｒａｎｋ）との一致性を保持する。
【００５８】
５、６、７と８ストリームに対応する伝送案に対して、以下の方法でパイロットの直交シーケンスをマッピングする。
【００５９】
１）異なるポートグループの専用パイロットを伝送するスタート・サブキャリア（以降に説明するサブキャリアは全て専用パイロットを伝送するサブキャリアのことを指す）に、異なる直交シーケンス集合が配置される。
【００６０】
２）同一ポートグループにおける隣接サブキャリアに異なる直交シーケンス集合が配置される。例えば、１ポートグループに２つの直交シーケンス集合を配置し、交代で対応するサブキャリアにマッピングする。
【００６１】
３）予め定義された直交シーケンス集合とサブキャリアシリアル番号に基づき、現在サブキャリアの直交シーケンス集合を確定する。
【００６２】
図６aに示すように、ポートグループ１において直交シーケンス集合aとｂが配置されたが、aとｂは交代で対応するサブキャリアにマッピングされている。ポートグループ２においてシーケンス集合ｃとｄが配置されたが、交代で対応するサブキャリアにマッピングされている。
【００６３】
ａに標識された矢印の領域では専用パイロットを送信するに直交シーケンス Ｃｏｄｅ  ｉｎｄｅｘ０: [１ １ １ １] [１ １ -１ -１][１ -１ -１ １][１ -１ １ -１] を採用し、ｂに標識された矢印の領域では専用パイロットを送信するに直交シーケンスＣｏｄｅ  ｉｎｄｅｘ１: [１ １ １ １] [-１ -１ １ １][１ -１ -１ １][-１ １ -１ １] を採用し、ｃに標識された矢印の領域では専用パイロットを送信するに直交シーケンスＣｏｄｅ  ｉｎｄｅｘ２: [１ １ １ １] [-１ -１ １ １] [-１ １ １ -１] [１ -１ １ -１] を採用し、ｄに標識された矢印の領域では専用パイロットを送信するに直交シーケンスＣｏｄｅ  ｉｎｄｅｘ３:[１ １ １ １] [１ １ -１ -１] [-１ １ １ -１] [-１ １ -１ １]を採用する。
【００６４】
【数８】
0005584305.tif 000009
a，ｂ,ｃとｄに対応するシーケンス集合は上述シーケンス集合に限定されるものではなく、ｃoｄe_inｄexの計算方法も上述方法に限定されるものではない。 
（２）サブキャリアグループに基づく方式。
【００６５】
図６ｂはサブキャリアグループに基づくｒａｎｋ５−ｒａｎｋ８の場合の、長さが４である直交シーケンスの選択案を示している。図６ｂに示したように、aに標識された矢印の領域では専用パイロットを送信するに直交シーケンスＣｏｄｅ  ｉｎｄｅｘ０: [１ １ １ １] [１ １ -１ -１][１ -１ -１ １][１ -１ １ -１] を採用し、ｂに標識された矢印の領域では専用パイロットを送信するに直交シーケンスＣｏｄｅ  ｉｎｄｅｘ１: [１ １ １ １] [-１ -１ １ １][１ -１ -１ １][-１ １ -１ １] を採用し、ｃに標識された矢印の領域では専用パイロットを送信するに直交シーケンスＣｏｄｅ  ｉｎｄｅｘ２: [１ １ １ １] [-１ -１ １ １] [-１ １ １ -１] [１ -１ １ -１] を採用し、ｄに標識された矢印の領域では専用パイロットを送信するに直交シーケンスＣｏｄｅ  ｉｎｄｅｘ３:[１ １ １ １] [１ １ -１ -１] [-１ １ １ -１] [-１ １ -１ １]を採用する。
【００６６】
（３）ＰＲＢに基づく直交シーケンスの配置方式
図６ｃはＰＲＢに基づくｒａｎｋ５−ｒａｎｋ８の場合の、長さが４である直交シーケンス選択案を示している。図６ｃに示すように、aに標識された矢印の領域では専用パイロットを送信するに直交シーケンスＣｏｄｅ  ｉｎｄｅｘ０: [１ １ １ １] [１ １ -１ -１][１ -１ -１ １][１ -１ １ -１]を選択し、ｂに標識された矢印の領域では専用パイロットを送信するに直交シーケンスＣｏｄｅ  ｉｎｄｅｘ１: [１ １ １ １] [-１ -１ １ １][１ -１ -１ １][-１ １ -１ １] を選択し、ｃに標識された矢印の領域では専用パイロットを送信するに直交シーケンスＣｏｄｅ  ｉｎｄｅｘ２: [１ １ １ １] [-１ -１ １ １] [-１ １ １ -１] [１ -１ １ -１] を選択し、ｄに標識された矢印の領域では専用パイロットを送信するに直交シーケンスＣｏｄｅ  ｉｎｄｅｘ３:[１ １ １ １] [１ １ -１ -１] [-１ １ １ -１] [-１ １ -１ １] を選択する。
【００６７】
以下の公式で直交シーケンスのインデックスを計算できる。
【００６８】
【数９】
0005584305.tif 000010
上述した実施形態はあるセルのある時刻の直交シーケンスの反転（または選択）問題を解決した。しかし、時間から見ると、直交シーケンスの反転（または選択）は固定的であってもよいし、または、タイムスロット（またはサブフレーム）により変化されても良い。セル間の干渉はランダム性を有するため、異なるセルの直交シーケンスの反転（または選択）は同じでもよいし、違うでもよい。また、具体的なｒａｎｋ配置またはパイロット構造が上述実施形態と異なっても、本発明の実施形態に係る技術案を影響しないのである。
【００６９】
以下は具体的な実施形態により、本発明の実施形態に係る実現方式を記述する。
【００７０】
以下の実施形態はｒａｎｋ＝４、且つシーケンス選択粒度がサブキャリアグループである場合を例として説明するが、本発明はこの実施形態に限定されるものではない。以下の実現方式は任意のシーケンス選択粒度と任意数量の伝送ストリーム（即ち、ｒａｎｋ配置）に適用する。
【００７１】
〈第１の実施形態〉
図７aはＰＲＢのみにおけるシーケンス選択または反転を示している。図７aに示したように、ＰＲＢにおける異なるサブキャリアグループに異なるシーケンスが配置されし（またはシーケンス反転を行う）。異なるＰＲＢに同様なシーケンスが配置され（またはシーケンス反転を行わない）。ＰＲＢに配置されるシーケンスはシグナリングによりユーザーに通知でき、或いは標準定義（即ち、デフォルト値）を使用できる。ユーザーはデフォルトのパイロットシーケンス、またはシグナリングで通知されるパイロットシーケンスによりチャネル推定を行う。
【００７２】
〈第２の実施形態〉
図７ｂはユーザーにスケジューリングしたＰＲＢ内のシーケンス選択（または反転）のイメージを示す図である。図７ｂに示すように、ユーザーにスケジューリングしたＰＲＢにおけるシーケンス選択（または反転）において、ユーザースケジューリングリソースブロックにおける隣接ＰＲＢに異なるシーケンスが配置される（またはシーケンス反転を行う）。ユーザースタートＰＲＢに配置されるシーケンスは標準定義で配置でき、またはブロードキャストシグナリングにより通知でき、または、ＤＣＩシグナリングにより配置できる。基地局はユーザーのスタートＰＲＢに配置されるシーケンスと反転規則（シーケンス選択規則）に基づき、ユーザーに直交パイロットシーケンスを配置する。ユーザーはデフォルトパイロットシーケンス、またはシグナリングで通知されるパイロットシーケンスによりチャネル推定を行う。
【００７３】
〈第３の実施形態〉
図７ｃはシステム帯域幅におけるシーケンス選択（または反転）のイメージを示している。図７ｃに示すように、システムの全帯域において、隣接ＰＲＢに異なるシーケンス（または或シーケンス反転を行う）を配置する。帯域幅のスタートＰＲＢに配置されるシーケンスは標準定義で配置でき、またはブロードキャストシグナリングにより通知でき、または、ＤＣIシグナリングにより配置できる。基地局は帯域幅スタートＰＲＢに配置されるシーケンスとＰＲＢインデックス値により、ユーザーに直交パイロットシーケンスを配置する。ユーザーは送信側で採用されるパイロットシーケンスにより、チャネル推定を行う。
【００７４】
本発明の実施形態に係るダウンリンクデータの伝送システムは、
符号分割多重ＣＤＭ方式、またはＣＤＭと周波数分割多重ＦＤＭとの混合方式でパイロットを伝送し、そのうち、専用パイロットを伝送するリソースにおいて、設定された周波数領域粒度と規則に基づき前記専用パイロットに直交シーケンス集合を配置し、各周波数領域粒度内の専用パイロットに同様な直交シーケンス集合が配置される基地局と、
取得されたスタートＰＲＢ直交シーケンスの配置情報、周波数領域粒度情報と規則、または直交シーケンス集合の配置情報により専用パイロットを受信し、かつ、各周波数領域粒度内の専用パイロットに同様な直交シーケンス集合が配置される端末と
を有する。
【００７５】
図８に示したように、本発明の実施形態に係るダウンリンクデータの送信装置は上述システムにおける基地局に相当し、
専用パイロットを伝送するリソースにおいて、設定された周波数領域粒度と規則に基づき前記専用パイロットに直交シーケンス集合を配置し、各周波数領域粒度内の専用パイロットに同様な直交シーケンス集合を配置する配置手段８１と、
符号分割多重ＣＤＭ方式、またはＣＤＭと周波数分割多重ＦＤＭとの混合方式でパイロットを伝送する第１送信手段８２と、
を有する。
【００７６】
前記周波数領域粒度はサブキャリア、サブキャリアグループまたはリソースブロックＰＲＢである。
【００７７】
前記配置手段８１は、前記周波数領域粒度がサブキャリアである場合、各リソースブロック内の専用パイロットを伝送するサブキャリアにおいて、各サブキャリアに１つの直交シーケンス集合が配置され、隣接サブキャリアに異なる直交シーケンス集合が配置される。
【００７８】
前記配置手段８１は、前記周波数領域粒度がサブキャリアグループである場合、各リソースブロックにおける専用パイロットを伝送するサブキャリアグループにおいて、各サブキャリアグループに同様な直交シーケンス集合が配置され、隣接サブキャリアグループに異なる直交シーケンス集合が配置される。
【００７９】
前記配置手段８１は前記周波数領域粒度がリソースブロックＰＲＢである場合、各リソースブロックにおける専用パイロットを伝送するリソースに同様な直交シーケンス集合が配置される。
【００８０】
前記配置手段８１は
システム帯域幅のスタート・サブキャリアに配置される直交シーケンス集合とサブキャリアシリアル番号に基づき、前記専用パイロットに直交シーケンス集合を配置し、
または、システム帯域幅のスタート・サブキャリアグループに配置される直交シーケンス集合とサブキャリアグループシリアル番号に基づき、前記専用パイロットに対して直交シーケンス集合を配置し、
または、システム帯域幅のスタートＰＲＢに配置される直交シーケンス集合とリソースブロックシリアル番号に基づき、前記専用パイロットに直交シーケンス集合を配置し、
または、ユーザーにスケジューリングしたスタート・サブキャリアに配置される直交シーケンス集合とサブキャリアのスケジューリングシリアル番号に基づき、前記専用パイロットに対して直交シーケンス集合を配置し、
または、ユーザーにスケジューリングしたスタート・サブキャリアグループに配置される直交シーケンス集合とサブキャリアグループのスケジューリングシリアル番号に基づき、前記専用パイロットに直交シーケンス集合を配置し、
更にまたは、ユーザーにスケジューリングしたスタートＰＲＢに配置される直交シーケンス集合とリソースブロックのスケジューリングシリアル番号に基づき、前記専用パイロットに直交シーケンス集合を配置する。
【００８１】
本発明の実施形態に係るダウンリンクデータの送信装置はさらに、
端末のチャネル推定に使用される、配置された直交シーケンス集合を含む専用パイロットを当該端末に送信する第２送信手段を含んでもよい。
【００８２】
前記第２送信手段はブロードキャストメッセージまたはＤＣＩメッセージにより配置された直交シーケンス集合を端末に送信する。
【００８３】
図９に示したように、本発明の実施形態に係るダウンリンクデータの受信装置は上述システム内の端末に相当し、
スタートＰＲＢの直交シーケンス配置情報、周波数領域粒度情報と規則、または直交シーケンス集合の配置情報を取得する取得手段９１と、
取得されたスタートＰＲＢの直交シーケンス配置情報、周波数領域粒度情報と規則、または直交シーケンス集合の配置情報により専用パイロットを受信し、又、各周波数領域粒度内の専用パイロットに同様な直交シーケンス集合が配置される受信手段９２と
を有する。
【００８４】
前記周波数領域粒度はサブキャリア、サブキャリアグループまたはリソースブロックＰＲＢである。
【００８５】
前記周波数領域粒度がサブキャリアである場合、各リソースブロック内の専用パイロットを伝送するサブキャリアにおいて、サブキャリア毎に１つの直交シーケンス集合が配置され、隣接サブキャリアに異なる直交シーケンス集合が配置される。
【００８６】
前記周波数領域粒度がサブキャリアグループである場合、各リソースブロック内の専用パイロットを伝送するサブキャリアグループにおいて、各サブキャリアグループに同様な直交シーケンス集合が配置され、隣接サブキャリアグループに異なる直交シーケンス集合が配置される。
【００８７】
前記周波数領域粒度がリソースブロックＰＲＢである場合、各リソースブロック内の専用パイロットを伝送するリソースに同様な直交シーケンス集合が配置される。
【００８８】
前記取得手段９１は、基地局から送信される、直交シーケンスを含むブロードキャスト情報またはＤＣＩメッセージを受信することにより前記専用パイロット内の直交シーケンス集合を取得し、または、予め保存された専用パイロット直交シーケンス情報により、前記専用パイロット内の直交シーケンス集合を取得し、さらにまたは予め保存された規則に基づき、前記専用パイロット内の直交シーケンス集合を生成する。
【００８９】
１つ以上のポートグループを含み、且つポートグループ毎に１つ以上のサブキャリアが対応している場合、各ポートグループは同一サブキャリア内でＣＤＭ方式で専用パイロットを伝送し、異なるポートグループに対する周波数領域粒度と／または設定は同じかまたは違う。
【００９０】
異なるポートグループに対応する周波数領域粒度がサブキャリアである場合、前記配置手段８１は、同一ポートグループ内の専用パイロットを伝送する隣接サブキャリアに、異なる直交シーケンス集合を配置し、しかし、異なるポートグループのスタート・サブキャリアに異なる直交シーケンス集合を配置する。
【００９１】
システムで伝送されるｒａｎｋ数が３または４である場合、前記配置手段８１は伝送される第１と第３のデータレイヤに同様な直交シーケンスを配置し、第４のレイヤに、第２のレイヤの直交シーケンスの反数を配置する。
【００９２】
前記配置手段８１はシステムで伝送される異なるＲａｎｋ数に基づき、同じまたは異なる周波数領域粒度と規則を採用する。
【００９３】
本発明は各種のＲａｎｋ拡張と実現を図るために三種のパイロット直交シーケンス粒度の配置を提出し、さらに、三種のパイロット直交シーケンス選択（または反転）の実現方法を提供した。上述実施形態は、ｒａｎｋ３―ｒａｎｋ８の各場合のシーケンス反転（または選択）の方法、及びＲａｎｋ２の場合のＰＲＢに基づく直交シーケンスの反転（または選択）の技術案を提供し、シーケンスマッピングの複雑度を低下する。直交シーケンスの反転（または選択）は時間、またはタイムスロット（またはサブフレーム）により変化しない。異なるセルの直交シーケンスの反転（または選択）は同じかまたは違う。シーケンス反転（または選択）の方法はｒａｎｋ３-ｒａｎｋ８の各場合に直交シーケンスによる電力不一致の問題を解決し、かつ、容易に実施できる。
【００９４】
本領域の技術者が理解できるように、本発明の実施形態は方法、システム、またはコンピュータプログラム製品の提供に利用できる。そのため、本発明は完全なハードウェア実施形態、完全なソフトウェア実施形態、またはソフトウェアとハードウェアの両方を結合した実施形態を採用できる。又、本発明は一つまたは複数のコンピュータプログラム製品の形式を採用できる。当該製品は、コンピュータ使用可能なプログラムコードを含むコンピュータ利用可能な記憶媒体（ディスク記憶装置、ＣＤ-ＲＯＭ、光学記憶装置などを含むがそれとは限らない）において実施する。
【００９５】
以上は本発明の実施形態の方法、装置（システム）、及びコンピュータプログラム製品のフローと／またはブロック図により本発明を記述した。理解すべきことは、コンピュータプログラムの指令により、フローと／またはブロック図における各フローと／またはブロック、及びフローと／またはブロック図におけるフローと／またはブロックの結合を実現できる。プロセッサはこれらのコンピュータプログラム指令を汎用コンピュータ、専用コンピュータ、組込み式処理装置、または他のプログラミング可能なデータ処理装置に提供でき、コンピュータまたは他のプログラミング可能なデータ処理装置のプロセッサは、これらのコンピュータプログラム指令を実行し、フロー図における一つまたは複数のフローと／またはブロック図における一つまたは複数のブロックで指定される機能を実現する。
【００９６】
それらのコンピュータプログラム指令は又、コンピュータまたは他のプログラミング可能なデータ処理装置を特定方式で動作させるコンピュータ読取記憶装置に記憶できる。これにより、指令を含む装置は当該コンピュータ読取記憶装置内の指令を実行でき、又、フロー図における一つまたは複数のフローと／またはブロック図における一つまたは複数のブロックにおいて指定される機能を実現できる。
【００９７】
コンピュータプログラム指令は又、コンピュータまたは他のプログラミング可能なデータ処理装置に実装できる。コンピュータプログラム指令が実装されたコンピュータまたは他のプログラミング可能な装置は、一連な操作ステップを実行することにより、関連の処理を実現し、コンピュータまたは他のプログラミング可能な装置において実行される指令により、フロー図における一つまたは複数のフローと／またはブロック図における一つまたは複数のブロックに指定される機能を実現する。
【００９８】
本発明の好ましい実施形態について記述したが、当業者は、本発明の基本的な技術思想を把握した上、多種多様な変更と変形を行える。そのような全ての変形及と変更は本発明に記述された実施形態と共に、付加する請求の範囲の範囲内にあると解釈されるべきである。
【００９９】
無論、当業者により、上述した実施形態に記述された技術的な解決手段を改造し、またはその中の一部の技術要素を置換することもできる。そのような改造と置換は本発明の各実施形態の技術の範囲から逸脱するとは見なされない。
【図１】
0005584305.tif 000011
【図２】
0005584305.tif 000012
【図３ａ】
0005584305.tif 000013
【図３ｂ】
0005584305.tif 000014
【図４ａ】
0005584305.tif 000015
【図４ｂ】
0005584305.tif 000016
【図４ｃ】
0005584305.tif 000017
【図４ｄ】
0005584305.tif 000018
【図４ｅ】
0005584305.tif 000019
【図５ａ】
0005584305.tif 000020
【図５ｂ】
0005584305.tif 000021
【図５ｃ】
0005584305.tif 000022
【図６ａ】
0005584305.tif 000023
【図６ｂ】
0005584305.tif 000024
【図６ｃ】
0005584305.tif 000025
【図７ａ】
0005584305.tif 000026
【図７ｂ】
0005584305.tif 000027
【図７ｃ】
0005584305.tif 000028
【図８】
0005584305.tif 000029
【図９】
0005584305.tif 000030